【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
少なくとも１つのＸ線放射源（１１０／２１０）と、
少なくとも１つのＸ線検出器（１５０／２５０）と、
サンプルの上の焦点からＸ線蛍光を収集して、所定の分析物の特徴的なエネルギーの前記Ｘ線蛍光を前記Ｘ線検出器に向けるための、前記サンプル（１３０／２３０）と前記Ｘ線検出器との間に配置された少なくとも１つの両側湾曲回折光学部品を有する少なくとも１つの単色収集光学部品（１４０／２４０）と、
前記サンプルの分析物を刺激して蛍光を発生させるために、前記Ｘ線放射源からＸ線放射を収集して、該Ｘ線放射を前記サンプルの上の前記焦点に集束させるための、前記Ｘ線放射源と前記サンプルとの間に配置された少なくとも１つの励起光学部品（１２０／２２０）と
を備えたことを特徴とするＸ線蛍光分光システム。
【請求項２】
前記Ｘ線放射源（１１０）は、少なくとも１つの電子ボンバードメントＸ線源を備えていることを特徴とする請求項１に記載のＸ線蛍光分光システム。
【請求項３】
前記励起光学部品は、少なくとも１つの集束多色光学部品（２２０）を備えていることを特徴とする請求項１に記載のＸ線蛍光分光システム。
【請求項４】
前記集束多色光学部品は、少なくとも１つのポリキャピラリ光学部品を備えていることを特徴とする請求項３に記載のＸ線蛍光分光システム。
【請求項５】
前記励起光学部品は、少なくとも１つの集束単色光学部品（１２０）を備えていることを特徴とする請求項１に記載のＸ線蛍光分光システム。
【請求項６】
前記集束単色光学部品は、少なくとも１つの両側湾曲結晶を備えていることを特徴とする請求項５に記載のＸ線蛍光分光システム。
【請求項７】
前記集束単色光学部品は、少なくとも１つの両側湾曲多層光学部品を備えていることを特徴とする請求項５に記載のＸ線蛍光分光システム。
【請求項８】
前記焦点は、５００ミクロン未満の焦点サイズを有することを特徴とする請求項１に記載のＸ線蛍光分光システム。
【請求項９】
前記サンプルの上に集束する前記Ｘ線放射は、全外反射角より小さい角度で前記サンプルに入射することを特徴とする請求項１に記載のＸ線蛍光分光システム。
【請求項１０】
前記サンプルの上に集束する前記Ｘ線放射は、全外反射角より大きい角度で前記サンプルに入射することを特徴とする請求項１に記載のＸ線蛍光分光システム。
【請求項１１】
前記サンプルは、固体を含むことを特徴とする請求項１に記載のＸ線蛍光分光システム。
【請求項１２】
前記サンプルは、流体を含むことを特徴とする請求項１に記載のＸ線蛍光分光システム。
【請求項１３】
前記流体は、石油を主成分とする生成物を含むことを特徴とする請求項１２に記載のＸ線蛍光分光システム。
【請求項１４】
前記石油を主成分とする生成物は、ガソリンまたはディーゼルを含むことを特徴とする請求項１３に記載のＸ線蛍光分光システム。
【請求項１５】
前記石油を主成分とする生成物は、原油を含むことを特徴とする請求項１３に記載のＸ線蛍光分光システム。
【請求項１６】
前記石油を主成分とする生成物は、潤滑油を含むことを特徴とする請求項１１に記載のＸ線蛍光分光システム。
【請求項１７】
前記少なくとも１つの分析物は、硫黄を含むことを特徴とする請求項１に記載のＸ線蛍光分光システム。
【請求項１８】
前記少なくとも１つの分析物は、鉄を含むことを特徴とする請求項１に記載のＸ線蛍光分光システム。
【請求項１９】
前記サンプルの分析物の濃度または前記サンプルの厚さを決定するために、前記収集光学部品（１４０／２４０）は、前記分析物のＸ線を前記Ｘ線検出器に向けることを特徴とする請求項１に記載のＸ線蛍光分光システム。
【請求項２０】
前記両側湾曲回折光学部品は、少なくとも１つの両側湾曲結晶を備えていることを特徴とする請求項１に記載のＸ線蛍光分光システム。
【請求項２１】
前記両側湾曲結晶は、ヨハン幾何形状を有する少なくとも１つの両側湾曲結晶を備えていることを特徴とする請求項２０に記載のＸ線蛍光分光システム。
【請求項２２】
前記両側湾曲結晶は、ヨハンソン幾何形状または部分ヨハンソン幾何形状近似を有する少なくとも１つの両側湾曲結晶を備えていることを特徴とする請求項２０に記載のＸ線蛍光分光システム。
【請求項２３】
前記両側湾曲結晶は、少なくとも１つの両側湾曲対数らせん結晶光学部品を備えていることを特徴とする請求項２０に記載のＸ線蛍光分光システム。
【請求項２４】
前記両側湾曲回折光学部品は、少なくとも１つの両側湾曲多層光学部品を備えていることを特徴とする請求項１に記載のＸ線蛍光分光システム。
【請求項２５】
前記両側湾曲多層光学部品は、少なくとも１つの両側湾曲対数らせん光学部品を備えていることを特徴とする請求項２４に記載のＸ線蛍光分光システム。
【請求項２６】
前記両側湾曲回折光学部品は、少なくとも１つの両側湾曲分布型回折光学部品を備えていることを特徴とする請求項１に記載のＸ線蛍光分光システム。
【請求項２７】
前記収集光学部品（１４０／２４０）が、前記サンプルに対して固定され、かつ前記Ｘ線検出器に対して固定されることを特徴とする請求項１に記載のＸ線蛍光分光システム。
【請求項２８】
前記Ｘ線検出器は、少なくとも１つのガス比例計数管を備えていることを特徴とする請求項１に記載のＸ線蛍光分光システム。
【請求項２９】
前記Ｘ線検出器は、少なくとも１つのシンチレーションカウンタを備えていることを特徴とする請求項１に記載のＸ線蛍光分光システム。
【請求項３０】
前記Ｘ線検出器は、少なくとも１つの固体検出器を備えていることを特徴とする請求項１に記載のＸ線蛍光分光システム。
【請求項３１】
前記固体検出器は、少なくとも１つのＰＩＮダイオード固体検出器を備えていることを特徴とする請求項３０に記載のＸ線蛍光分光システム。
【請求項３２】
前記Ｘ線検出器は、非エネルギー感応検出器（non-energy sensitive detector）を備えていることを特徴とする請求項１に記載のＸ線蛍光分光システム。
【請求項３３】
前記両側湾曲回折光学部品は、前記サンプルの焦点における入力焦点が、少なくとも１つの励起光学部品の出力焦点に対応するように配置されていることを特徴とする請求項１に記載のＸ線蛍光分光システム。
【請求項３４】
少なくとも１つのＸ線放射源（１１０／２１０）を提供し、
少なくとも１つのＸ線検出器（１５０／２５０）を提供し、
前記サンプルの上の前記焦点からＸ線蛍光を収集して、所定の分析物の特徴的なエネルギーの前記蛍光Ｘ線を前記少なくとも１つのＸ線検出器に向けるための、少なくとも１つの両側湾曲回折光学部品を備える少なくとも１つの単色収集光学部品（１４０／２４０）を前記サンプル（１３０／２３０）と前記Ｘ線検出器との間に配置し、
前記サンプルの分析物を刺激して蛍光発光させるために、前記Ｘ線放射源からＸ線放射を収集して、該Ｘ線放射を前記サンプルの上の前記焦点に集束させるための、前記Ｘ線放射源と分析されるサンプルとの間に配置された少なくとも１つの励起光学部品（１２０／２２０）を提供する
ことを特徴とするＸ線蛍光分光方法。
【請求項３５】
前記Ｘ線放射源（１１０）は、少なくとも１つの電子ボンバードメントＸ線源を備えていることを特徴とする請求項３４に記載のＸ線蛍光分光方法。
【請求項３６】
前記励起光学部品は、少なくとも１つの集束多色光学部品（２２０）を備えていることを特徴とする請求項３４に記載のＸ線蛍光分光方法。
【請求項３７】
前記集束多色光学部品は、少なくとも１つのポリキャピラリ光学部品を備えていることを特徴とする請求項３６に記載のＸ線蛍光分光方法。
【請求項３８】
前記励起光学部品は、少なくとも１つの集束単色光学部品（１２０）を備えていることを特徴とする請求項３４に記載のＸ線蛍光分光方法。
【請求項３９】
前記集束単色光学部品は、少なくとも１つの両側湾曲結晶を備えていることを特徴とする請求項３８に記載のＸ線蛍光分光方法。
【請求項４０】
前記集束単色光学部品は、少なくとも１つの両側湾曲多層光学部品を備えていることを特徴とする請求項３８に記載のＸ線蛍光分光方法。
【請求項４１】
前記焦点は、５００ミクロン未満の焦点サイズを有することを特徴とする請求項３４に記載のＸ線蛍光分光方法。
【請求項４２】
前記サンプルは、固体を含むことを特徴とする請求項３４に記載のＸ線蛍光分光方法。
【請求項４３】
前記サンプルは、流体を含むことを特徴とする請求項３４に記載のＸ線蛍光分光方法。
【請求項４４】
前記流体は、石油を主成分とする生成物を含むことを特徴とする請求項４３に記載のＸ線蛍光分光方法。
【請求項４５】
前記石油を主成分とする生成物は、ガソリンまたはディーゼルを含むことを特徴とする請求項４４に記載のＸ線蛍光分光方法。
【請求項４６】
前記少なくとも１つの分析物は、硫黄を含むことを特徴とする請求項４５に記載のＸ線蛍光分光方法。
【請求項４７】
前記両側湾曲回折光学部品は、少なくとも１つの両側湾曲結晶を備えていることを特徴とする請求項３４に記載のＸ線蛍光分光方法。
【請求項４８】
前記両側湾曲結晶は、ヨハン幾何形状を有する少なくとも１つの両側湾曲結晶を備えていることを特徴とする請求項４７に記載のＸ線蛍光分光方法。
【請求項４９】
前記両側湾曲結晶は、ヨハンソン幾何形状または部分ヨハンソン幾何形状近似を有する少なくとも１つの両側湾曲結晶を備えていることを特徴とする請求項４７に記載のＸ線蛍光分光方法。
【請求項５０】
前記両側湾曲結晶は、少なくとも１つの両側湾曲対数らせん結晶光学部品を備えていることを特徴とする請求項４７に記載のＸ線蛍光分光方法。
【請求項５１】
前記両側湾曲回折光学部品は、少なくとも１つの両側湾曲多層光学部品を備えていることを特徴とする請求項３４に記載のＸ線蛍光分光方法。
【請求項５２】
前記両側湾曲多層光学部品は、少なくとも１つの両側湾曲対数らせん光学部品を備えていることを特徴とする請求項５１に記載のＸ線蛍光分光方法。
【請求項５３】
前記両側湾曲回折光学部品は、少なくとも１つの両側湾曲分布型回折光学部品を備えていることを特徴とする請求項３４に記載のＸ線蛍光分光方法。
【請求項５４】
前記Ｘ線検出器は、少なくとも１つのガス比例計数管を備えていることを特徴とする請求項３４に記載のＸ線蛍光分光方法。
【請求項５５】
前記Ｘ線検出器は、少なくとも１つのシンチレーションカウンタを備えていることを特徴とする請求項３４に記載のＸ線蛍光分光方法。
【請求項５６】
前記Ｘ線検出器は、非エネルギー感応検出器（non-energy sensitive detector）を備えていることを特徴とする請求項３４に記載のＸ線蛍光分光方法。
【請求項５７】
前記両側湾曲回折光学部品は、前記サンプルの焦点における入力焦点が、少なくとも１つの励起光学部品の出力焦点に対応するように配置されていることを特徴とする請求項３４に記載のＸ線蛍光分光方法。